(57)【特許請求の範囲】
【請求項１】
第１のアンテナと、
前記第１のアンテナと近接配置された第２のアンテナと、
を有する無線通信装置であり、
前記第２のアンテナにはアンテナを開放又は閉結する為のスイッチが接続されており、
前記第１のアンテナを用いて電波を受信する際には、前記スイッチを開放した状態とし、
前記第１のアンテナから前記第２のアンテナへ電波を送信する際には、前記スイッチを閉結した状態とすることを特徴とする無線通信装置。
【請求項２】
第１のアンテナと、
前記第１のアンテナと近接配置された第２のアンテナと、
を有する無線通信装置であり、
前記第１のアンテナは常時閉結されており、
前記第２のアンテナにはアンテナを開放又は閉結する為のスイッチが接続されており、
前記第１のアンテナを用いて電波を受信する際には、前記スイッチを開放した状態とし、
前記第１のアンテナから前記第２のアンテナへ電波を送信する際には、前記スイッチを閉結した状態とすることを特徴とする無線通信装置。
【請求項３】
請求項１または２に記載の無線通信装置であり、
前記第１のアンテナはシート状のインレットに配置され、
前記第２のアンテナは回路基板に配置されており、
前記回路基板には、前記スイッチと、当該スイッチを制御する第２のＲＦＩＣと、入力部とが配置され、
前記第２のＲＦＩＣは、前記入力部からの入力操作に基づいて前記スイッチを閉状態とすることを特徴とする無線通信装置。
【請求項４】
請求項３に記載の無線通信装置であり、
前記インレットには前記第１のアンテナと電気的に接続された第１のＲＦＩＣが配置され、
前記第２のＲＦＩＣは、前記スイッチを閉状態とした後に前記第２のアンテナから電波を送出させ、前記第２のアンテナから送出された電波を前記第１のアンテナが受信することにより、前記第１のアンテナに起電力が発生し、前記第１のアンテナと接続された前記第１のＲＦＩＣが駆動されることを特徴とする無線通信装置。
【請求項５】
請求項１〜４のいずれかに記載の無線通信装置であり、
前記スイッチはフォトＭＯＳリレーであることを特徴とする無線通信装置。
【請求項６】
請求項１〜５のいずれかに記載の無線通信装置であり、
前記第１のアンテナを介して受信した情報を格納するメモリと、
前記第２のアンテナを介して受信した情報を表示する表示部と、を備え、
前記スイッチが閉結された状態で、前記メモリに格納された前記情報の少なくとも一部を前記第１のアンテナから第２のアンテナに送信して、前記表示部に表示させることを特徴とする無線通信装置。
【発明の詳細な説明】
【技術分野】
【０００１】
本発明は無線通信装置に関する。
【背景技術】
【０００２】
近年、マンション等の集合住宅では、マンションの玄関扉付近に暗証番号の入力装置を配置したものがある。このような集合住宅では、マンションの住人が、その住人が有する固有の暗証番号（例えば４桁の暗証番号）を入力することにより、マンションの玄関扉を開けることが可能である。
【０００３】
また、このような集合住宅の集合玄関扉を開閉する為の技術が特許文献にて数多く公開されている。例えば特許文献１には、マンションの住人が集合玄関機から住人の部屋に置いてある電話機を呼び出し、続いて音声案内に従って暗証番号を入力することにより集合玄関扉を開けることが可能な技術が開示されている。
【先行技術文献】
【特許文献】
【０００４】
【特許文献１】特開平５−１２２３８５号公報
【発明の概要】
【発明が解決しようとする課題】
【０００５】
しかしながら、特許文献１に記載の技術ではマンションの住人が暗証番号を記憶しておく必要があり、暗証番号を忘れるとマンションに入ることができないといった問題がある。このような課題を解決するために、本発明は、住人が容易に玄関扉を開くことが可能であり且つセキュリティ性能の高い玄関扉を開錠するための無線通信装置を提供することを目的としている。
又、マンションによっては無線通信方式が異なる方式を採用しているケースも考えられる。本発明は、このような事態でもマンションの管理人や住人が対応可能とすべく、異なる無線通信方式でも少ない構造変更で対応可能な無線通信装置を提供することを目的としている。
又、本発明は、電波を効率良く受信可能な無線通信装置を提供することを目的としている。
更に、本発明は、小型で持ち運びが便利な無線通信装置を提供することを目的としている。
【課題を解決するための手段】
【０００６】
本発明はこのような課題を解決するためのものであり、ユーザが暗証番号等を記憶せずともマンションの玄関扉を開くことが可能な無線通信装置を提供するものであり、更には、発明の効果の欄で後述する様々な効果を奏するものであり、無線通信装置を持ち歩くユーザだけでなく、無線通信装置を管理する者にとっても利便性の高い無線通信装置を提供するものである。
請求項１に記載の発明は、第１のアンテナと、前記第１のアンテナと近接配置された第２のアンテナと、を有する無線通信装置であり、前記第２のアンテナにはアンテナを開放又は閉結する為のスイッチが接続されており、前記第１のアンテナを用いて電波を受信する際には、前記スイッチを開放した状態とし、前記第１のアンテナから前記第２のアンテナへ電波を送信する際には、前記スイッチを閉結した状態とすることを特徴とする。
請求項２に記載の発明は、第１のアンテナと、前記第１のアンテナと近接配置された第２のアンテナと、を有する無線通信装置であり、前記第１のアンテナは常時閉結されており、前記第２のアンテナにはアンテナを開放又は閉結する為のスイッチが接続されており、前記第１のアンテナを用いて電波を受信する際には、前記スイッチを開放した状態とし、前記第１のアンテナから前記第２のアンテナへ電波を送信する際には、前記スイッチを閉結した状態とすることを特徴とする。
請求項３に記載の発明は、請求項１または２に記載の無線通信装置であり、前記第１のアンテナはシート状のインレットに配置され、前記第２のアンテナは回路基板に配置されており、前記回路基板には、前記スイッチと、当該スイッチを制御する第２のＲＦＩＣと、入力部とが配置され、前記第２のＲＦＩＣは、前記入力部からの入力操作に基づいて前記スイッチを閉状態とすることを特徴とする。
請求項４に記載の発明は、請求項３に記載の無線通信装置であり、前記インレットには前記第１のアンテナと電気的に接続された第１のＲＦＩＣが配置され、前記第２のＲＦＩＣは、前記スイッチを閉状態とした後に前記第２のアンテナから電波を送出させ、前記第２のアンテナから送出された電波を前記第１のアンテナが受信することにより、前記第１のアンテナに起電力が発生し、前記第１のアンテナと接続された前記第１のＲＦＩＣが駆動されることを特徴とする。
請求項５に記載の発明は、請求項１〜４のいずれかに記載の無線通信装置であり、前記スイッチはフォトＭＯＳリレーであることを特徴とする。
請求項６に記載の発明は、請求項１〜５のいずれかに記載の無線通信装置であり、 前記第１のアンテナを介して受信した情報を格納するメモリと、前記第２のアンテナを介して受信した情報を表示する表示部と、を備え、前記スイッチが閉結された状態で、前記メモリに格納された前記情報の少なくとも一部を前記第１のアンテナから第２のアンテナに送信して、前記表示部に表示させる、ことを特徴とする。
【発明の効果】
【０００７】
本願発明によると、効率良く電波を受信可能な無線通信装置を提供することが可能である。
請求項１に記載の発明によると、第１のアンテナと、第２のアンテナと、を有する無線通信装置であり、前記第２のアンテナにはアンテナを開放又は閉結する為のスイッチが接続されており、所定の操作が施された際に前記第２のアンテナを閉結し、前記所定の操作が施されていない状態では前記スイッチを開放することを特徴としている。
このような構成である為に、第１のアンテナで電波を受信する際には第２のアンテナは開放されている為に、第１のアンテナで発生する起電力を低下させることがなく、効率よく電波を受信可能な無線通信装置を提供することが可能である。
請求項２に記載の発明によると、第１のアンテナと、第２のアンテナと、を有する無線通信装置であり、前記第１のアンテナは常時閉結されており、前記第２のアンテナにはアンテナを開放又は閉結する為のスイッチが接続されており、所定の操作が施された際に前記第２のアンテナを閉結し、前記所定の操作が施されていない状態では前記スイッチを開放することを特徴としている。
このような構成である為に、第１のアンテナで電波を受信する際には第２のアンテナは開放されている為に、第１のアンテナで発生する起電力を低下させることがなく、効率よく電波を受信可能な無線通信装置を提供することが可能である。
請求項３に記載の発明によると、第１のアンテナと、第２のアンテナと、を有する無線通信装置であり、前記第２のアンテナにはアンテナを開放又は閉結する為のスイッチが接続されており、前記第１のアンテナを用いて電波を受信する際には、前記スイッチを開放した状態とし、前記第１のアンテナから前記第２のアンテナへ電波を送信する際には、前記スイッチを閉結した状態とすることを特徴としている。
このような構成である為に、第１のアンテナで電波を受信する際には第２のアンテナは開放されている為に、第１のアンテナで発生する起電力を低下させることがなく、効率よく電波を受信可能な無線通信装置を提供することが可能である。
請求項４に記載の発明によると、第１のアンテナと、第２のアンテナと、を有する無線通信装置であり、前記第１のアンテナは常時閉結されており、前記第２のアンテナにはアンテナを開放又は閉結する為のスイッチが接続されており、前記第１のアンテナを用いて電波を受信する際には、前記スイッチを開放した状態とし、前記第１のアンテナから前記第２のアンテナへ電波を送信する際には、前記スイッチを閉結した状態とすることを特徴としている。
このような構成である為に、第１のアンテナで電波を受信する際には第２のアンテナは開放されている為に、第１のアンテナで発生する起電力を低下させることがなく、効率よく電波を受信可能な無線通信装置を提供することが可能である。
請求項５に記載の発明によると、第１のアンテナと、第２のアンテナと、を有する無線通信装置であり、更にシート状のインレットと回路基板とを有し、前記インレットには前記第１のアンテナが配置され、前記回路基板には前記第２のアンテナと、当該第２のアンテナを閉結又は開閉するためのスイッチと、当該スイッチを制御する第２のＲＦＩＣと、入力部と、が配置され、待機状態では前記スイッチは開状態であり、前記第２のＲＦＩＣは、前記入力部からの入力操作に基づいて前記スイッチを閉状態とすることを特徴としている。
このような構成である為に、第１のアンテナで電波を受信する際には第２のアンテナは開放されている為に、第１のアンテナで発生する起電力を低下させることがなく、効率よく電波を受信可能な無線通信装置を提供することが可能である。
請求項６に記載の発明によると、請求項５に記載の無線通信装置であり、更に、前記インレットには前記第１のアンテナと電気的に接続された第１のＲＦＩＣが配置され、前記第２のＲＦＩＣは、前記スイッチを閉状態とした後に前記第２のアンテナから電波を送出させ、前記第２のアンテナから送出された電波を前記第１のアンテナが受信することにより、前記第１のアンテナに起電力が発生し、前記第１のアンテナと接続された前記第１のＲＦＩＣが駆動されることを特徴とする。
このような構成である為に、第２のアンテナから送出された電波により第１のアンテナのＲＦＩＣが駆動される。この為、第１のＲＦＩＣを駆動させるための電源を別途設ける必要がない。
請求項７に記載の発明によると、請求項１〜６のいずれかに記載の無線通信装置であり、前記スイッチはフォトＭＯＳリレーであることを特徴とする。
この為、小さな電流値で第２のアンテナの閉結／開放を制御することが可能である。
【図面の簡単な説明】
【０００８】
【図１】本発明を適用してなる実施例装置である無線通信装置の分解斜視図である。
【図２】回路基板の正面図である。
【図３】本実施例装置の回路基板のブロック図である。
【図４】本発明を適用してなる実施例であるシステム図である。
【図５】本発明を適用してなる実施例装置である無線通信装置の動作を示すフロー図である。
【図６】本発明を適用してなる実施例装置である無線通信装置の動作を示すフロー図である。
【発明を実施するための形態】
【０００９】
次に、本発明を適用してなる一実施例である無線通信装置について、図面を参照しながら説明する。尚、本実施例ではマンションの玄関扉を開けるための無線通信装置として説明するが、例えば、会社のロッカーの扉を開閉するためのカードや、コンビニエンスストアや駅等で商品や切符等を購入する際に用いるカード等にも本発明を適用することが可能である。
【実施例】
【００１０】
図１は本実施例装置である無線通信装置１００の分解斜視図を示している。図１において、後述する第１のＲＦＩＣ１（Ｒａｄｉｏ  Ｆｒｅｑｕｅｎｃｙ  Ｉｎｔｅｇｒａｔｅｄ  Ｃｉｒｃｕｉｔ）と当該第１のＲＦＩＣ１と接続されたアンテナ（第１のアンテナ２）が配置された例えば、ＰＥＴ（ポリエチレンテレフタラート）やポリイミド等からなるインレット３と、アンテナや半導体素子等が形成された回路基板４とが、両面シール５を介して接触している。また、第１のＲＦＩＣ１は、図示していないが、様々な制御を行う為の制御部と、情報を一時的に格納する為のバッファメモリと、無線信号の送受信を行う為の無線通信部等、を有している。
尚、第１のアンテナ２の両端は第１のＲＦＩＣ１と接続されており、この第１のアンテナ２は常時閉ループを形成している。又、図１においては両面シール５を配置した構成としているが、両面シール５を配置せずに、インレット３と回路基板４とを直接接続した構成としても良い。
或いは、接着性を持たないインレット３裏面に接着剤を添付し、この接着剤によりインレット３と回路基板４とを接着した構成としても良い。
一方、回路基板４は、本実施例では両面にパターンが形成可能な両面基板を採用しているが、片面基板を採用することも可能である。
これらインレット３や回路基板４は、これらの部品を保護するための例えば、ＰＥＴ（ポリエチレンテレフタラート）等の樹脂からなる表カバー６と裏カバー７内に配置され、表カバー６と裏カバー７は互いに嵌合可能に一方（例えば表カバー６の周囲）に凸形状が、他方（例えば裏カバー７の周囲）に凹形状が形成されている。
図２は、図１に示す回路基板４を図１中Ｂ方向から見た正面図である。図２において、回路基板４は第２のアンテナ８と当該第２のアンテナ８と電気的に接続されている第２のＲＦＩＣ９（Ｒａｄｉｏ  Ｆｒｅｑｕｅｎｃｙ  Ｉｎｔｅｇｒａｔｅｄ  Ｃｉｒｃｕｉｔ）とを有し、更に、後ほど詳細に説明するが、制御回路１０、電源回路１２、バッテリ１１、表示部１４、スイッチ１７、入力部１３等（図２中では図示せず）を搭載している。また、回路基板４は、横幅（図２中ａの幅）は５０ｍｍ、縦幅（図２中ｂの幅）は８０ｍｍ、厚さは３．５ｍｍの大きさとなっている。
尚、図２における第２のアンテナ８は、図２に示す面、即ち片面にのみに形成されているが、スルーホールを介して回路基板４の両面に渡って電気的に接続されている。この第２のアンテナ８も閉ループとなっているが、スイッチ１７（図示せず）により開閉可能となっている。
【００１１】
図３は、回路基板４に搭載している各回路のブロック図を示している。図３において、制御回路１０は各回路の制御を司り、例えば１つのＩＣ（Ｉｎｔｅｇｒａｔｅｄ  Ｃｉｒｃｕｉｔ）からなる。
【００１２】
バッテリ１１は例えばリチウムイオン電池からなり、各回路へ電力を供給する為の電池である。
【００１３】
電源回路１２は、バッテリ１１からの電圧（例えば３Ｖ）を制御回路１０等の各回路を駆動するための電圧（例えば２．５Ｖ）に変換するための電源回路１２であり、この電源回路１２も例えば１つのＩＣからなっている。
【００１４】
入力部１３は例えば複数の押下式のスイッチ１７からなる。
【００１５】
表示部１４は例えば液晶表示装置からなり、バッテリ１１の残量を表示する機能や、第１のＲＦＩＣ１から読み込んだ情報（例えば無線通信装置１００の持ち主の氏名）を表示する機能等を有する。
【００１６】
格納部１５は例えばフラッシュメモリからなり、マンションのＩＤ、無線通信装置１００固有のＩＤ，ユーザ情報（例えば、無線通信装置１００を所有するユーザの氏名等の情報）等を格納する。
【００１７】
第２のＲＦＩＣ９は、マンションのＩＤ、無線通信装置１００固有のＩＤ，ユーザ情報（例えば、無線通信装置１００を所有するユーザの氏名等の情報）等の送受信、具体的には、変調及び復調等を行う。
【００１８】
スイッチ１７は例えばフォトＭＯＳリレーからなり、制御回路１０の制御に基づいてオン（閉じる）又はオフ（開く）する。無線通信装置１００が通常の待機状態では、このスイッチ１７は常時オフとなっている。即ち、第２のアンテナ８がオープンとなっている。
【００１９】
図４は本実施例装置である無線通信装置１００を使用したシステム図である。図４において、無線通信装置１００は、例えばマンションの管理人が有するパーソナルコンピュータ１８と接続されたリーダ／ライタ機器１９と無線により通信可能であり、更に、マンションの玄関扉２０に配置されている開錠装置２１と無線により通信可能である。
【００２０】
本実施例装置の動作について以下に説明する。まず、本実施例装置の動作の概要から説明する。まず、図４に示すマンションの管理人が有するパーソナルコンピュータ１８のリーダ／ライタ機器１９から無線により、マンションのＩＤ、無線通信装置１００固有のＩＤ，ユーザ情報（例えば、無線通信装置１００を所有するユーザの氏名等の情報）を送信し、送信された電波をインレット３の第１のアンテナ２が受信し第１のアンテナ２に起電力が発生することにより、第１のＲＦＩＣ１が駆動されると共に、第１のアンテナ２がリーダ／ライタ機器１９から送信された情報を受信し、受信した情報を第１のＲＦＩＣ１内部に形成されているバッファメモリに一時的に格納する。
【００２１】
尚、上記マンションのＩＤとはマンション毎に振り分けられているＩＤであり、１つのマンションに対して１つのＩＤが対応付けられている。又、上記無線通信装置１００固有のＩＤとは、１つの無線通信装置１００に対して１つのＩＤが対応付けられている。これらのＩＤは例えば８ビットのバイナリデータからなる。
【００２２】
このように、第１のＲＦＩＣ１内部に形成されているバッファメモリにマンションのＩＤ、無線通信装置１００固有のＩＤ，ユーザ情報が格納される訳であるが、ユーザはこれらの情報を何らかの方法で表示させ、どのような情報が格納されているかを確認する必要がある。この為、本実施例装置では、第１のＲＦＩＣ１内部のバッファメモリに格納されているこれらの情報を第１のアンテナ２から第２のアンテナ８に送信させ、第２のアンテナ８で受信されたこれらの情報を表示部１４に表示させる構成としている。
【００２３】
より具体的に説明すると、管理人が入力部１３を操作することにより（例えば複数の押下スイッチ１７の内１つのスイッチ１７を２秒以上長押する）、制御回路１０がスイッチ１７をオンするように制御し、第２のアンテナ８が閉結される。続いて、第２のＲＦＩＣ９が通信を開始するためのコマンドを含んだ情報を電波で送信すると、この電波を受信した第１のアンテナ２に起電力が生じ、第１のＲＦＩＣ１が駆動されると共に、第１のＲＦＩＣ１に先ほど格納されたＩＤ等の情報が第１のアンテナ２から送信される。この送信された情報を第２のアンテナ８が受信すると、第２のＲＦＩＣ９にて受信した情報が復調され、復調された情報がテキストデータとして表示部１４に表示される。
【００２４】
このようにして、ユーザは第１のＲＦＩＣ１に格納された各種の情報がどのような情報であるかを、表示部１４を見ることにより確認することができる。
【００２５】
尚、第１のアンテナ２から第２のアンテナ８へ送信されたこれらの情報をそのまま表示部１４に表示させるのではなく、一旦格納部１５に格納した後に表示部１４に表示させる構成としても良い。又、表示部１４に表示させる情報としては、ユーザがマンションに出入りした記録等を表示する構成としても良い。
【００２６】
続いて、上述した各種情報が第１のＲＦＩＣ１に（或いは格納部１５にも）格納された状態で、無線通信装置１００をマンションの管理人がマンションの住人（以下、住人と称す）に手渡すこととなる。
【００２７】
住人は、マンションに入る際にマンションの玄関扉２０近傍に配置されている開錠装置２１に無線通信装置１００を近づけることにより、開錠装置２１がユーザ情報を受信、認識してマンションの玄関扉２０が開かれることとなる。
具体的に説明すると、住人が無線通信装置１００をマンションの玄関扉２０近傍に配置されている開錠装置２１に近づけることにより、開錠装置２１から電波が送信され、その電波を無線通信装置１００の第１のアンテナ２が受信すると、第１のアンテナ２に起電力が発生する。続いて、第１のアンテナ２に接続された第１のＲＦＩＣ１のバッファメモリからマンションのＩＤ、無線通信装置１００固有のＩＤが読み出され、これらの情報が第１のアンテナ２から開錠装置２１に向け送信される。
マンションの開錠装置２１は、受信したマンションのＩＤ及び無線通信装置１００固有のＩＤと、予め開錠装置２１のメモリに格納されているマンションのＩＤ及び無線通信装置１００固有のＩＤと夫々比較し、これらのＩＤが一致すると判定すると、開錠装置２１がマンションの玄関扉２０を開くように制御する。
以下に本実施例装置の動作をより具体的に説明する。
図５は無線通信装置１００がパーソナルコンピュータ１８と接続されたリーダ／ライタ機器１９からマンションのＩＤ、無線通信装置１００固有のＩＤ，ユーザ情報（例えば、無線通信装置１００を所有するユーザの氏名等の情報）を受信し格納する際における動作を示すフロー図である。
図５のＳ０１ステップでは、第１のアンテナ２がリーダ／ライタ機器１９から送信された電波を受信すると、第１のアンテナ２に起電力が発生し、第１のＲＦＩＣ１が駆動開始し、Ｓ０２ステップへ進む。
Ｓ０２ステップでは、第１のＲＦＩＣ１がリーダ／ライタ機器１９から無線により受信したマンションのＩＤ、無線通信装置１００固有のＩＤ，ユーザ情報（例えば、無線通信装置１００を所有するユーザの氏名等の情報）を、第１のＲＦＩＣ１内部に搭載されているバッファメモリに一時的に格納する。
このようにして、リーダ／ライタ機器１９から送信された情報は第１のＲＦＩＣ１内部に搭載されているバッファメモリに格納される。続くＳ０３ステップからＳ０５ステップは、この第１のＲＦＩＣ１内部に格納された情報を表示部１４に表示させる際の動作を示している。
続くＳ０３ステップでは、制御回路１０が入力部１３からスイッチ１７をオン（閉結）するように指示する操作（例えば複数の押下スイッチ１７の内１つのスイッチ１７を２秒以上押下する）があったと判定すると、スイッチ１７を閉結するように制御し、Ｓ０４ステップへ処理を進める。
Ｓ０４ステップでは、制御回路１０は、スイッチ１７がオンとなるように制御した後に、第２のＲＦＩＣ９を制御することにより第２のアンテナ８から、通信を開始するためのコマンドを含んだ情報を無線で送信する。その後、第１のアンテナ２が第２のアンテナ８から発生した電波を受信すると、第１のアンテナ２に起電力が発生し、第１のＲＦＩＣ１が駆動開始する、続いて、第１のＲＦＩＣ１は、第１のＲＦＩＣ１内部のバッファメモリに格納している情報を読込、変調後第１のアンテナ２から無線により送信する。
Ｓ０５ステップでは、第１のアンテナ２から送信された情報は第２のアンテナ８で受信され第２のＲＦＩＣ９で復調され、制御回路１０は復調された情報を表示部１４に表示させる。
【００２８】
図６は無線通信装置１００が、格納部１５に格納されているマンションのＩＤ、無線通信装置１００固有のＩＤをマンションの開錠装置２１に送信し、マンションの扉を開錠させる際の動作を示すフロー図である。
図６のＳ１０ステップでは、第１のアンテナ２がマンションの開錠装置２１から電波を受信し、第１のアンテナ２に起電力が発生すると、第１のＲＦＩＣ１が起動を開始し、Ｓ１１ステップへ進む。
Ｓ１１ステップでは、第１のＲＦＩＣ１は、バッファメモリに格納されているマンションのＩＤ、無線通信装置１００固有のＩＤを第１のアンテナ２から送信させ、開錠装置２１がこれらの情報を受信すると、開錠装置２１に予め格納されているマンションのＩＤ、無線通信装置１００固有のＩＤと比較し、これら２つのＩＤが一致する、即ち正規のものであると開錠装置２１が判定すると、マンションの玄関扉２０が開くこととなる。
【００２９】
本実施例装置では、無線通信方式が異なるリーダ／ライタ機器１９や開錠装置２１を使用する場合でも、第１のアンテナ２と第１のＲＦＩＣ１が搭載されたインレット３を交換するだけで、無線通信装置１００を異なる無線通信方式に対応させることが可能であり、無線通信装置１００の回路基板４をまるごと交換するといったコスト的な問題を回避することが可能である。
又、インレット３に格納されている特定の情報を表示する無線通信装置を開発するにあたり、専用のインレットを別途開発する必要がなく、既存のインレットを使用して特定の情報を表示することが可能であるため、インレットを専用に開発するための費用を大幅に削減することが可能である。更に、インレットの代わりに既存のＲＦＩＤカードを使用することも可能である。
【００３０】
更に、本実施例装置では、表示部１４に情報を表示する構成としたが、表示部１４に表示する情報として、本人のみ理解できる特定の情報（例えば、固有のＩＤ等）を表示することにより、自分のカードであるか否か或いはどの部屋のキーであるかをセキュリティを維持したまま特定することが可能となる。
又、本実施例装置では、第１のアンテナ２がリーダ／ライタ機器１９からＩＤ等の情報を受信する際には、第２のアンテナ８のスイッチ１７をオフしている為、リーダ／ライタ機器１９や開錠装置２１から送信される情報を第１のアンテナ２が効率良く受信することが可能である。
仮に、第２のアンテナ８のスイッチ１７がオンの状態（第２のアンテナ８が閉結された状態）で第１のアンテナ２が電波を受信し、第１のアンテナ２に起電力が発生すると、第２のアンテナ８も閉状態であるが為に第２のアンテナ８にも起電力が発生し、その結果、第１のアンテナ２の起電力が低下するという事態が生じる。これに対し、本実施例装置では、第１のアンテナ２がリーダ／ライタ機器１９や開錠装置２１からＩＤ等の情報を受信する際には、第２のアンテナ８のスイッチ１７をオフしている為、第２のアンテナ８に起電力が発生することがなく、その結果、第１のアンテナ２が効率良く受信することが可能である。
又、この為、２つのアンテナを近接させることが可能となり、その結果、無線通信装置１００の厚さを約２．５ミリ〜３．５ミリと薄くすることが可能となった。
更に、第２のアンテナ８を閉結／開放させる為のスイッチ１７として、本実施例装置では、フォトＭＯＳリレーを使用している。この為、数ミリアンペア程度のわずかな電流を入力するだけで電流のスイッチ１７ングを行うことが可能であり、消費電力をできるだけ少なくすることが可能である。
尚、本実施例装置では、フォトＭＯＳリレー（フォトＭＯＳ  ＦＥＴ）を使用しているが、例えば高速のスイッチ１７ング動作を要求する場合等は、スイッチ１７としてフォトカプラを用いても良い。
又、本実施例ではマンションの玄関扉２０を開けるための無線通信装置１００として説明するが、例えば、会社のロッカーの扉を開閉するためのカードや、コンビニエンスストアや駅等で商品や切符等を購入する際に用いるカード等にも本発明を適用することが可能である。
【符号の説明】
【００３１】
１  第１のＲＦＩＣ
２  第１のアンテナ
３  インレット
４  回路基板
５  両面シール
６  表カバー
７  裏カバー
８  第２のアンテナ
９  第２のＲＦＩＣ
１０  制御回路
１１  バッテリ
１２  電源回路
１３  入力部
１４  表示部
１５  格納部
１７  スイッチ
１８  パーソナルコンピュータ
１９  リーダ／ライタ機器
２０  玄関扉
２１  開錠装置
１００  無線通信装置
【図１】
0005619414.tif 000002
【図２】
0005619414.tif 000003
【図３】
0005619414.tif 000004
【図４】
0005619414.tif 000005
【図５】
0005619414.tif 000006
【図６】
0005619414.tif 000007